(57)【要約】【課題】健常者はもとより、弱視者に対しても容易に意識させ、その歩行を誘導することが出来る標識シートの提供。【解決手段】危険を表示し又は歩行を案内するための特に弱視者向けの標識シートであって、シートの表面側より順に、透明樹脂層、蓄光顔料を含有する発光層、粘着剤層、及び離型紙を積層一体化した積層体よりなり、かつ、光照射による飽和励起の停止から１分後の残光輝度が２５０ｍｃｄ／ｍ2以上であることを特徴とする標識シート。【選択図】なし【実用新案登録請求の範囲】
【請求項１】
危険を表示し又は歩行を案内するための特に弱視者向けの標識シートであって、
シートの表面側より順に、透明樹脂層、蓄光顔料を含有する発光層、粘着剤層、及び離型紙を積層一体化した積層体よりなり、かつ、光照射による飽和励起の停止から１分後の残光輝度が２５０ｍｃｄ／ｍ2以上であることを特徴とする標識シート。
【請求項２】
シート表面の全体にわたって、多数の凸部が互いに間隔をおいて繰り返し形成され、滑り止め構造となっていることを特徴とする請求項１記載の標識シート。
【請求項３】
前記蓄光顔料は、一般式（Ｉ）
（Ｍ0.9995〜0.998Ｅｕ0.0005〜0.002）Ａｌ2Ｏ4・（Ｍ0.9995〜0.998Ｅｕ0.0005〜0.002）Ｏ・ｎ（Ａｌ1-b-aＢbＱa）2Ｏ3            （Ｉ）
（式中、
Ｍは、Ｓｒ，Ｃａ，Ｍｇ及びＢａからなる群より選択される少なくとも一種の元素を表し、
ＱはＬａ，Ｃｅ，Ｐｒ，Ｎｄ，Ｓｍ，Ｇｄ，Ｔｂ，Ｄｙ，Ｈｏ，Ｅｒ，Ｔｍ，Ｙｂ，Ｙ，Ｌｕ，Ｍｎ及びＢｉからなる群より選択される少なくとも一種の元素を表し、
ａは０．０００５〜０．００２であり、
ｂは０．００１〜０．３５であり、
ｎは１〜８の整数である。）
で表される焼成体よりなることを特徴とする請求項１記載の標識シート。
【請求項４】
前記蓄光顔料は、次式（Ｉ−１）
（Ｓｒ0.9995Ｅｕ0.0005）Ａｌ2Ｏ4・（Ｓｒ0.9995Ｅｕ0.0005）Ｏ・（Ａｌ1-0.01-0.0005Ｂ0.01Ｄｙ0.0005）2Ｏ3                      （Ｉ−１）
で表される焼成体よりなることを特徴とする請求項３記載の標識シート。
【請求項５】
前記凸部は、菱形もしくは正方形の凸部であって、その上面は、梨地表面もしくは微小凹凸面であることを特徴とする請求項２記載の標識シート。
【考案の詳細な説明】
【技術分野】
【０００１】
本考案は、危険を表示し又は歩行を案内するのに用いられる標識シート、詳細には、例えば、夜間或いは停電時等においても健常者はもとより、特に弱視者に対し容易に危険の存在を意識させ或いは歩み進むべき方向を認識させることが出来るように工夫された標識シートに関する。
【背景技術】
【０００２】
駅のプラットホーム又は階段等においては、とりわけ弱視者は落下、転倒等の危険にさらされている。特に停電時において或いは夕刻から夜間にかけて、又は明け方の時間帯等において、周囲は明るさに乏しいものとなる為、弱視者にとってはプラットホーム、階段等の様子が非常に見づらいものとなる。したがって、落下、転倒等による負傷、死亡事故等の発生を防止するという見地からも、プラットホーム及び階段には、かような状況下において特に弱視者に対して危険を表示し、歩行を案内することが出来る標識シートを設けることが必要とされる。
ところで、かかる標識シートに類似のものとして、従来これまでに幾つかの提案が為されている。例えば、特開平１０−１０２４３６号公報には、発光物質を含有させて成る無機質セラミック発光体を発光性骨材として、プラスチックシートや布等のシート材の表面に固着させてなる視線誘導シートが記載されている。また、特開２００１−９２３９３号公報には、基材シートと、この基材シート表面に互いに接触しないように独立して多数凸状に設けられた発光部とからなることを特徴とする発光シートが記載されている。
【特許文献１】特開平１０−１０２４３６号公報
【特許文献２】特開２００１−９２３９３号公報
【考案の開示】
【考案が解決しようとする課題】
【０００３】
駅のプラットホーム又は階段に用いる標識シートは、特に弱視者があやまってプラットホームから線路上に落下しないように、プラットホームの線路寄りの端に沿って設けられ、また階段から足を踏み外して転倒しないように、階段の一段一段に設けられるであろう。しかして、周囲が明るさに乏しい状況下においても標識機能を十分に発揮させる為にも、標識シートは、弱視者に対してその存在を容易に視認させることが出来る程度の輝度で発光し、かつ、長時間、例えば停電時からその復旧までの間その発光を維持することが出来、さらに多数の歩行者がその上を歩いても発光機能を損傷させない長期耐久性の高い構造のものであることが必要である。
しかるに、特開平１０−１０２４３６号公報に記載された視線誘導シートは、その発光性骨材が該シートの表面に剥き出しの状態で存在する為に、多数の歩行者がその上を通り過ぎると、経時とともに発光性骨材がシートから剥がれ落ちるおそれがある。そのため、弱視者が視認し得る程の発光を長期にわたり維持することが困難であると考えられる。また、特開２００１−９２３９３号公報に記載された発光シートは、その表面において発光部が凸状に設けられた構造である為に、歩行によって経時的に次第に剥がれるおそれがある。したがって、この発光シートもまた、弱視者が危険等の存在を視認し得る程度の発光を長期間維持することが難しい。つまり、これら公報に記載されたシートは、人通りの多い駅のプラットホーム又は階段に使用される特に弱視者向けの標識シートとして適用することを予定しているものではなく、その適用をなしたとしても満足な結果が得られないであろう。
【課題を解決するための手段】
【０００４】
本考案者はかかる事情に鑑み鋭意検討を重ねた結果、シートの表面の耐久性の高い透明
樹脂層の下側に、蓄光顔料を含有する発光層を積層し、かつ積層シート製品において、光照射による飽和励起の停止から１分後の残光輝度が２５０ｍｃｄ／ｍ2以上を有するとい
う標識シートに構成すると、弱視者が容易に視認出来る程度の発光状態を長時間にわたって（例えば停電後３０分以上の時間）維持することが出来、そして駅のプラットホーム又は階段等において、特に停電等、明るさの乏しい時においても、健常者はもとより特に弱視者に対して発光作用によって危険箇所の存在を視認させ、避難すべき方向に案内することが出来、しかも長時間の使用が可能となるシートとなることを見出し、本考案を完成させたのである。
すなわち、本考案は、駅のプラットホーム又は階段等において危険を表示し又は歩行を案内するための特に弱視者向けの標識シートであって、シートの表面側より順に、透明樹脂層、蓄光顔料を含有する発光層、粘着剤層、及び離型紙を積層一体化した積層体よりなり、かつ、光照射による飽和励起の停止から１分後の残光輝度が２５０ｍｃｄ／ｍ2以上
であることを特徴とする、標識シートに関する。
本考案のより好ましい態様は、シート表面の全体にわたって、多数の凸部、好ましくは、その上面は、梨地表面もしくは微小凹凸面である凸部が互いに間隔をおいて繰り返し形成された構造となっている標識シートである。
また、本考案の標識シートに使用される蓄光顔料は、好ましくは、一般式（Ｉ）
（Ｍ0.9995〜0.998Ｅｕ0.0005〜0.002）Ａｌ2Ｏ4・（Ｍ0.9995〜0.998Ｅｕ0.0005〜0.002）Ｏ・ｎ（Ａｌ1-b-aＢbＱa）2Ｏ3            （Ｉ）
（式中、
Ｍは、Ｓｒ，Ｃａ，Ｍｇ及びＢａからなる群より選択される少なくとも一種の元素を表し、
ＱはＬａ，Ｃｅ，Ｐｒ，Ｎｄ，Ｓｍ，Ｇｄ，Ｔｂ，Ｄｙ，Ｈｏ，Ｅｒ，Ｔｍ，Ｙｂ，Ｙ，Ｌｕ，Ｍｎ及びＢｉからなる群より選択される少なくとも一種の元素を表し、
ａは０．０００５〜０．００２であり、
ｂは０．００１〜０．３５であり、
ｎは１〜８の整数である。）
で表される焼成体よりなるものである。より好ましくは、蓄光顔料は、緑色を発光する次式（Ｉ−１）
（Ｓｒ0.9995Ｅｕ0.0005）Ａｌ2Ｏ4・（Ｓｒ0.9995Ｅｕ0.0005）Ｏ・（Ａｌ1-0.01-0.0005Ｂ0.01Ｄｙ0.0005）2Ｏ3                      （Ｉ−１）
で表される焼成体よりなるものである。
【考案の効果】
【０００５】
本考案の標識シートは、光照射による飽和励起の停止から１分後の残光輝度が２５０ｍｃｄ／ｍ2以上となるように設定される。したがって弱視者が視認出来る程度の発光状態
が長時間持続するので、例えば停電時から復旧までの間において、健常者はもちろん、弱視者であっても該標識シートの存在を視認し、歩むべき方向を認識することが出来、もって、プラットホームから線路上への転落もしくは階段での転倒事故の発生を回避するのに役立つ。
その上、本考案の標識シートは、最も表面側に透明樹脂層が積層されていることによって、多数の歩行者の通行に対して、その下層である発光層が保護された構造となっている。その為、本考案の標識シートは発光機能が長期にわたり維持され、人通りの多い駅のプラットホーム又は階段での使用に適する。また、透明樹脂層は、その表面が多数の凸部が互いに間隔をおいて繰り返し形成されることにより、滑り止め構造のものとすることで、一般歩行者及び弱視者が足を滑らせ転倒する事故を効果的に防止することも出来る。さら
に該凸部の上面は、梨地表面もしくは微小凹凸面のものとすることで、発光がまんべんなく周囲に拡散され、それによりどの方向から見ても標識シートを視認することが出来るものとなっている。
また、本考案の標識シートは、発光層が、一般式（Ｉ）で表される焼成体からなる蓄光顔料を含有することにより、緑色、青色及び黄色等のそれぞれの色彩の発光を利用することが出来、しかも、本考案の標識シートが使用される状況に応じてそれぞれの色彩を組合せて使用することが出来る。
さらに、本考案の標識シートの所定の場所への取付け作業は、離型紙を剥がし、露出した粘着剤層を所定の位置に貼り付けるだけであるので非常に簡便である。
【考案を実施するための最良の形態】
【０００６】
本考案の標識シートは基本的に、該シートの表面側から順に、透明樹脂層、蓄光顔料を含有する発光層、粘着剤層、及び離型紙が積層され、一体化された構造を有する。そして、かかる本考案の弱視者向けの標識シートは、光照射による飽和励起の停止、つまり、太陽光又は蛍光灯の光の照射の終了から１分後の残光輝度が２５０ｍｃｄ／ｍ2以上を有す
ることが必要である。１分後の残光輝度が２５０ｍｃｄ／ｍ2以下であると、所要時間、
例えば３０分間が経過した後の発光の輝度が、弱視者が視認することが困難な程度にまで低下してしまう。この場合、弱視者に対して危険を表示して歩行を案内出来る程度の発光輝度が、停電からその復旧まで持続しないものとなることが考えられ、弱視者向けの標識シートとして不適当なものとなる。
【０００７】
透明樹脂層は、その下層にある発光層を保護する役割を果すものであり、その為に、ある程度に強度を有し、かつ、その上を歩行しやすいように適度の硬度、柔軟性を有するものが好ましい。また、透明樹脂層の表面に形成される凸部は、互いに間隔をおいて繰り返し配置されるが、凸部の形状及び該間隔は滑り止めの効果を有する範囲内で適宜設定される。好ましくは、凸部の形状として正方形又は菱形を挙げることが出来る。また、凸部の上面は、発光層からの発光がどの方向にもムラなく一様に拡散される構造、好ましくは梨地表面又は微小凹凸面の構造とすることも可能である。かかる構造をとることにより、標識シートの輪郭がより明確となるので、特に弱視者が標識シートの位置をより正確に把握することが出来る。
かかる透明樹脂層の材質としては、例えば、アクリル及びメタクリル系ポリマー、塩化ビニルポリマー等が挙げられる。
【０００８】
発光層には蓄光顔料が含有され、そして該蓄光顔料は、室温で２００ないし４５０ｎｍの紫外線又は可視光線を照射し次に該紫外線又は可視光線を遮断した後において、緑色、青色、黄色の各種の色を高輝度で発光することが出来る。本考案に好適に用いられる蓄光顔料は、上記一般式（Ｉ）で表される焼成体からなる。上記式（Ｉ）中において、Ｍ及びＥｕに与えられている数値は各々の含有割合を示すモル数であり、その合計は１である。一般式（Ｉ）において、Ｅｕは賦活成分として作用し、Ｅｕの含有割合は、０．０００５〜０．００２モルの範囲にあることが必要である。Ｅｕの含有割合が０．００２モルより多いと輝度が低下し過ぎ、また、０．０００５モルより少なくても発光中心の数が不足して輝度が低下する。
式（Ｉ）中において、Ｑは付加賦活成分として用いられ、Ｄｙ，Ｎｄ，Ｂｉ及びＭｎからなる群から選ばれた少なくとも一種類の元素が好ましく、Ｄｙが輝度の持続性の点で特に好ましい。またＱで表される元素の量は、ａ＝０．０００５〜０．００２の範囲内にあることが必要である。ａが０．０００５より低い場合は、蓄光顔料の発光の輝度が極端に低くなり、ａが０．００２より高くなると、発光の輝度が飽和状態となる。
また、発光ピーク波長は、Ｍの種類又は量を変えることにより変化するので、様々な発光色が得られる。
ホウ素の量は、ｂ＝０．００１〜０．３５の範囲にある。ｂが０．００１より低いと蓄
光顔料の発光が極端に弱く、ｂが０．３５より高いと、焼成体において、酸化ホウ素系生成物が多くなる為に輝度の持続性が減少するので好ましくない。
【０００９】
本考案で使用される蓄光顔料は、例えばケミテック株式会社から、以下の商品名で商業上入手可能である。
・５１５〜５２５ｎｍの波長範囲である緑色を発光する下記（Ｉ−１）式で表されるピカリコＣＰ−０５（商品名）
（Ｓｒ0.9995Ｅｕ0.0005）Ａｌ2Ｏ4・（Ｓｒ0.9995Ｅｕ0.0005）Ｏ・（Ａｌ1-0.01-0.0005Ｂ0.01Ｄｙ0.0005）2Ｏ3      （Ｉ−１）
・４８５〜４９５ｎｍの波長範囲である青色を発光する下記（Ｉ−２）式で表されるピカリコＣＰ−１０（商品名）
（Ｓｒ0.9995Ｅｕ0.0005）Ａｌ2Ｏ4・（Ｓｒ0.9995Ｅｕ0.0005）Ｏ・２（Ａｌ1-0.01-0.0005Ｂ0.01Ｄｙ0.0005）2Ｏ3、  （Ｉ−２）
・５６０〜５８０ｎｍの波長範囲である黄色を発光する下記（Ｉ−４）式で表されるピカリコＣＰ−３０（商品名）
（Ｓｒ0.7996Ｃａ0.1999Ｅｕ0.0005）Ａｌ2Ｏ4・（Ｓｒ0.7996Ｃａ0.1999Ｅｕ0.0005）Ｏ・（Ａｌ1-0.02-0.002Ｂ0.02Ｄｙ0.002）2Ｏ3。    （Ｉ−４）
この中でも特に、（Ｉ−１）式で表されるピカリコＣＰ−０５が、弱視者にとってより視認しやすい好ましい色彩を発光する顔料である。
【００１０】
本考案の標識シートの発光層は、弱視者であっても容易に視認出来るような配色とされる。例えば、蓄光顔料の色を際立たせるような色の有機又は無機顔料を併用することにより、該蓄光顔料の色がより鮮明に映るので、駅のプラットホーム又は階段において危険を表示するのに適している。具体的には、緑色に発光する蓄光顔料に対して暗い配色である黒色の顔料を蓄光顔料の含有部位の隣りの部位に配置してなる発光層は、緑色と黒色のコントラストによって該緑色の発光が弱視者にとってより視認し易くなる為に好ましい態様である。
【００１１】
発光層は、蓄光顔料の他に、必要に応じて樹脂、溶剤、分散剤等の添加剤をさらに含有することが出来る。この場合、発光層に用いられる樹脂及び溶剤は、使用される蓄光顔料が良好に分散され、かつ、蓄光顔料の発光に悪影響を及ぼすものでなければよい。樹脂としては、例えば印刷インキ等に用いられる樹脂、例えばロジン、ギルソナイト、又はアクリル系等の合成樹脂等が挙げられる。用いられる溶剤もまた印刷インキ等に用いられる溶剤、例えばアルコール類、ケトン類、エーテル類、エステル類等が挙げられる。
【００１２】
粘着剤層は、発光層の下層に適用され、そのさらに下層には離型紙が貼着される。粘着剤層としては、例えばアクリル系粘着剤、ポリイソブチレン、ＳＢＲ、ブチルゴム等が挙げられる。
【実施例】
【００１３】
以下、本考案を、実施例においてより具体的に説明する。
【００１４】
１）本考案の標識シートの構成
図１（ａ）及び（ｂ）に示す本考案の標識シート１を用意した。標識シート１は、表面側から透明樹脂層２としてダイヤマット（商品名、ケミテック株式会社製、厚さ：１．５ｍｍ）、発光層３、粘着剤層４及び離型紙５としてダブルフェース（商品名、東洋インキ製造株式会社製）の４層が積層されてなる。０．０２ｍｍの厚さを有する発光層３は、標識シート１の長手方向にそれぞれ延びる、黒色の部位６、緑色の蓄光顔料を含有する部位７、黒色の部位６、赤色の部位８、黒色の部位６の５つの部位が順に隣接して並列に配置
されることにより構成されている。これら各々の部位の組成は以下に示すとおりである。
黒色の部位６：アクリル−メタクリルコポリマー３０重量％、溶剤として酢酸ブチル６０重量％、３５９０黒（商品名、十条ケミカル株式会社製）１０重量％
緑色の蓄光顔料を含有する部位７：アクリル−メタクリルコポリマー（分子量およそ１０００００）２０重量％、溶剤として酢酸ブチル６０重量％、及び蓄光顔料としてピカリコＣＰ−０５  １０重量％
赤色の部位８：アクリル−メタクリルコポリマー３０重量％、溶剤として酢酸ブチル６０重量％、３５０６金赤（商品名、十条ケミカル株式会社製）１０重量％
なお、ダイヤマットの表面には菱形の凸部９が全体にわたって形成されており、かつ、凸部９の上面には梨地表面１０が構成されている。
２）輝度の測定
１）の標識シート１を２４時間遮光した後、２７Ｗ卓上蛍光灯を用いて、標識シート１の６０ｃｍ上方から、１０００ｌｕｘで３０分間照射した。照射後、時間経過に伴う残光輝度を、ＭＩＮＯＬＴＡ  ＬＳ−１００輝度計を用いて測定した。その結果を表１に示す。
【表１】
0003102699.tif 000002
表１の試験結果より、本考案の標識シート１は、１分後の残光輝度が３０５ｍｅｄ／ｍ2と高い数値を示し、また１００分後においても、残光輝度は３ｍｅｄ／ｍ2を維持していた。
３）磨耗試験
１）の標識シート１に対して、ＪＩＳ  Ａ１４５１（建築材料及び建築構成部分の摩耗試験方法回転円盤の摩擦及び打撃による床材料の摩耗試験方法）にしたがって磨耗試験を行った。その結果を表２に示す。
【表２】
0003102699.tif 000003
表２の試験結果から、標識シート１は磨耗に対する耐久性が高いことを示している。
これら試験結果より、、標識シート１は高い輝度で発光し、かつ長時間持続するだけでなく、発光機能を損傷させない長期耐久性の高い構造のものであることが分かる。
【００１５】
（実施例）
本考案の標識シート１を、図２に示すように、京王線某駅のプラットホームにおいて試用してみた。具体的には、幅６．５ｃｍ及び長さ５０ｃｍの寸法を有する標識シート１の複数枚を、プラットホーム１１の線路側の端に沿って線状に貼着して６０日間おいた。次に、昼間と夜間のそれぞれにおいて、弱視者１２に所定の位置に立って標識シート１を実際に視認してもらった。ただし、夜間においては、プラットホームの全ての蛍光灯を一斉に消灯してから１００分後に、弱視者１２に所定の位置に立って標識シート１を視認してもらうこととした。
その結果、明るさの豊富な昼間においては、標識シート１は、発光層中の赤色の部位８が鮮やかに映える為、弱視者１２が標識シート１をたやすく視認出来たことが分かった。一方、夜間においては、蛍光灯の消灯後に標識シート１が緑色に発光し、消灯後１００分後であってもその発光が持続し、弱視者１２が標識シート１をはっきりと、かつ、たやすく視認出来たことが確認された。さらに６０日経過後においても、その発光機能に目立った損傷は認められず、発光機能が長期にわたり維持されていることも確認された。
したがって、標識シート１は、停電時の駅のプラットホーム又は階段等において、健常者はもとより、特に弱視者に対して危険の存在を意識させ、その歩行を案内するのに適した標識シートであると言うことが出来る。
【図面の簡単な説明】
【００１６】
【図１】（ａ）は本考案の標識シートの斜視図であり、（ｂ）は（ａ）のＡ−Ａ線における断面図である。
【図２】本考案の標識シートの使用例を示した模式図である。
【符号の説明】
【００１７】
１  標識シート    ２  透明樹脂層    ３  発光層    ４  粘着剤層    ５  離型紙
６  黒色の部位    ７  緑色の蓄光顔料を含有する部位  ８  赤色の部位
９  凸部        １０  梨地表面    １１  プラットホーム    １２    弱視者
【図１】
0003102699.tif 000004
【図２】
0003102699.tif 000005